(57)【特許請求の範囲】
【請求項１】
予め定められた被接触面に対して二次元状に対応付けられ、各々該被接触面に対する物体の接触を検出する複数の検出素子と、
前記複数の検出素子の検出結果に基づいて、物体が前記被接触面に接触することによって描かれる軌跡の特徴を示す特徴情報を生成する生成手段と、
前記生成手段によって生成された特徴情報が、物体が前記被接触面に、前記被接触面に対する正しい接触として予め定められた正接触又は前記被接触面に対する誤った接触として予め定められた誤接触である特定接触を行うことによって描かれる軌跡の特徴を示すと共に予め登録された特定接触特徴情報に相当するか否かを判定する判定手段と、
前記判定手段の判定結果に基づいて前記被接触面に対する前記特定接触を表す前記軌跡を特定する特定手段と、を含み、
前記特定手段は、予め定められた期間内に前記判定手段により、前記生成手段によって生成された特徴情報が前記特定接触特徴情報に相当すると判定された回数に基づいて、前記被接触面に対する前記特定接触を表す前記軌跡を特定する接触検出装置。
【請求項２】
前記特定手段は、前記予め定められた期間内に、前記生成手段によって生成された特徴情報が前記特定接触特徴情報に相当すると前記判定手段により判定された回数が前記生成手段によって生成された特徴情報が前記特定接触特徴情報に相当しないと前記判定手段により判定された回数よりも多い場合に、該予め定められた期間内の前記被接触面における前記軌跡を前記特定接触を表す軌跡として特定する請求項１に記載の接触検出装置。
【請求項３】
前記予め定められた期間を、物体が前記被接触面に接触してから該被接触面から離れるまでの期間とした請求項１又は請求項２に記載の接触検出装置。
【請求項４】
前記特徴情報を、前記軌跡の大きさを表す大きさ情報、前記軌跡の大きさのばらつきの度合いを表す度合い情報、及び物体が前記被接触面に継続して接触している時間に基づいて導出された継続時間依拠情報の少なくとも１つとした請求項１〜請求項３の何れか１項に記載の接触検出装置。
【請求項５】
前記大きさ情報を、前記軌跡の面積及び前記軌跡の長さの少なくとも１つを示す情報とし、
前記度合い情報を、前記軌跡の面積の分散若しくは標準偏差を示す軌跡面積統計情報、及び前記軌跡の長さの分散若しくは標準偏差を示す軌跡長統計情報の少なくとも１つとし、
前記継続時間依拠情報を、前記軌跡の個数を示す軌跡個数情報とした請求項４に記載の接触検出装置。
【請求項６】
前記軌跡に対して接触時間に応じた重みを付与する付与手段を更に含み、
前記判定手段は、更に、前記付与手段によって付与された重みが予め定められた重み以上であるか否かを判定する請求項１〜請求項５の何れか１項に記載の接触検出装置。
【請求項７】
請求項１〜請求項６の何れか１項に記載の接触検出装置と、
前記接触検出装置が画面上に重ねて設けられ、該画面に前記接触検出装置での検出結果に応じた画像を表示する表示手段と、
を含む記録表示装置。
【請求項８】
前記判定手段の判定結果に基づいて特定された軌跡に対応する位置に表示された画像を前記画面から消去する消去手段を更に含む請求項７に記載の記録表示装置。
【請求項９】
コンピュータを、
請求項１から請求項６の何れか１項に記載の接触検出装置に含まれる生成手段、判定手段、及び特定手段として機能させるためのプログラム。
【発明の詳細な説明】
【技術分野】
【０００１】
本発明は、接触検出装置、記録表示装置、及びプログラムに関する。
【背景技術】
【０００２】
特許文献１には、入力面の所定箇所を押圧された際に、その押圧位置に対応した座標データを順次取り込み、その取り込んだ座標データのうち、有効データのみを出力する座標入力装置において、所定条件下での手書き入力によって得られる座標データを一定のタイミングで取り込みつつ、それぞれ３個の座標データを順に用いて第２の座標データと第３の座標データ間の移動距離、及び第１の座標データと第２の座標データ間の直線軸と第２の座標データと第３の座標データ間の直線軸とがなす角度変化量を求めると共に、個々に求めた移動距離及び角度変化量の度数を累計し、これによって得られた累計度数を参照しつつ、予め規定された角度変化基準値とこれに対応する移動距離とを有効データ判定用のしきい値として設定する初期設定処理を行い、通常の入力操作時には、筆記直後に得られた最初の座標データとその直後に入力された２個の座標データとを用いて第１の座標データと第２の座標データ間の移動距離、及び第１の座標データと第２の座標データ間の直線軸と第２の座標データと第３の座標データ間の直線軸とがなす角度変化量をそれぞれ算出するとともに、その算出結果と初期設定処理によって設定された有効データ判定用のしきい値とを比較し、算出結果の少なくともいずれか一方がしきい値以内であるときに筆記直後の第１の座標データを有効データとして出力する入力データ処理を行うことを特徴とする座標入力装置のデータ処理方法が開示されている。
【０００３】
特許文献２には、複数の画素にフォトセンサを有するタッチパネルと画像処理部とを有し、フォトセンサが、タッチパネルと対象物との接触画像を生成し、画像処理部が、接触画像の色情報から接触部分の面積を算出し、面積に基づいてタッチパネルへの入力及び非入力の判定を行う表示装置が開示されている。
【０００４】
特許文献３には、表示装置と一体になったタブレットを備え、手書き入力枠にペンで手書き入力を行う手書きペン入力装置において、手書き入力枠を表示する手書き入力枠表示手段と、タブレットに入力された座標を認識する入力座標認識手段と、手書き入力枠毎に対応して設定される領域であって、ペンを持つ手がタブレットに接触するために行われる誤入力を無効とする入力無効領域を設定する入力無効領域設定手段と、を備え、入力無効領域に入力された座標データを無効とすることを特徴とする電子機器が開示されている。
【先行技術文献】
【特許文献】
【０００５】
【特許文献１】特開平８−１１０８３０号公報
【特許文献２】特開２０１１−７０６５８号公報
【特許文献３】特開平９−４４２９３号公報
【発明の概要】
【発明が解決しようとする課題】
【０００６】
本発明の課題は、正接触と誤接触とを高精度に判定する接触検出装置、記録表示装置、及びプログラムを提供することである。
【課題を解決するための手段】
【００１１】
上記課題を解決するために、請求項１に記載の接触検出装置を、予め定められた被接触面に対して二次元状に対応付けられ、各々該被接触面に対する物体の接触を検出する複数の検出素子と、前記複数の検出素子の検出結果に基づいて、物体が前記被接触面に接触することによって描かれる軌跡の特徴を示す特徴情報を生成する生成手段と、前記生成手段によって生成された特徴情報が、物体が前記被接触面に、前記被接触面に対する正しい接触として予め定められた正接触又は前記被接触面に対する誤った接触として予め定められた誤接触である特定接触を行うことによって描かれる軌跡の特徴を示すと共に予め登録された特定接触特徴情報に相当するか否かを判定する判定手段と、前記判定手段の判定結果に基づいて前記被接触面に対する前記特定接触を表す前記軌跡を特定する特定手段と、を含み、前記特定手段は、予め定められた期間内に前記判定手段により、前記生成手段によって生成された特徴情報が前記特定接触特徴情報に相当すると判定された回数に基づいて、前記被接触面に対する前記特定接触を表す前記軌跡を特定するものとした。
【００１２】
請求項１に記載の接触検出装置を、請求項２に記載の発明のように、前記特定手段が、前記予め定められた期間内に、前記生成手段によって生成された特徴情報が前記特定接触特徴情報に相当すると前記判定手段により判定された回数が前記生成手段によって生成された特徴情報が前記特定接触特徴情報に相当しないと前記判定手段により判定された回数よりも多い場合に、該予め定められた期間内の前記被接触面における前記軌跡を前記特定接触を表す軌跡として特定するものとした。
【００１３】
請求項１又は請求項２に記載の接触検出装置を、請求項３に記載の発明のように、前記予め定められた期間を、物体が前記被接触面に接触してから該被接触面から離れるまでの期間としたものとした。
【００１４】
請求項１〜請求項３の何れか１項に記載の接触検出装置を、請求項４に記載の発明のように、前記特徴情報を、前記軌跡の大きさを表す大きさ情報、前記軌跡の大きさのばらつきの度合いを表す度合い情報、及び物体が前記被接触面に継続して接触している時間に基づいて導出された継続時間依拠情報の少なくとも１つとしたものとした。
【００１５】
請求項４に記載の接触検出装置を、請求項５に記載の発明のように、前記大きさ情報を、前記軌跡の面積及び前記軌跡の長さの少なくとも１つを示す情報とし、前記度合い情報を、前記軌跡の面積の分散若しくは標準偏差を示す軌跡面積統計情報、及び前記軌跡の長さの分散若しくは標準偏差を示す軌跡長統計情報の少なくとも１つとし、前記継続時間依拠情報を、前記軌跡の個数を示す軌跡個数情報としたものとした。
【００１７】
請求項１から請求項５の何れか１項に記載の接触検出装置を、請求項６に記載の発明のように、前記軌跡に対して接触時間に応じた重みを付与する付与手段を更に含み、前記判定手段が、更に、前記付与手段によって付与された重みが予め定められた重み以上であるか否かを判定するものとした。
【００１９】
請求項７に記載の記録表示装置を、請求項１〜請求項６の何れか１項に記載の接触検出装置と、前記接触検出装置が画面上に重ねて設けられ、該画面に前記接触検出装置での検出結果に応じた画像を表示する表示手段と、を含んで構成した。
【００２０】
請求項７に記載の記録表示装置を、請求項８に記載の発明のように、前記判定手段の判定結果に基づいて特定された軌跡に対応する位置に表示された画像を前記画面から消去する消去手段を更に含んで構成したものとした。
【００２１】
請求項９に記載のプログラムを、コンピュータを、
請求項１から請求項６の何れか１項に記載の接触検出装置に含まれる生成手段、判定手段、及び特定手段として機能させるためのものとした。
【発明の効果】
【００２４】
請求項２に係る発明によれば、特定接触を、被接触面に対する正しい接触として予め定められた正接触又は被接触面に対する誤った接触として予め定められた誤接触とした構成を有しない場合に比べ、正接触と誤接触とがより一層高精度に判定される、という効果が得られる。
【００２７】
請求項１、請求項７、及び請求項９に係る発明によれば、前記判定手段の判定結果に基づいて前記被接触面に対する前記特定接触を表す前記軌跡を特定する特定手段を更に含む構成を有しない場合に比べ、正接触と誤接触とが高精度に特定される、という効果が得られる。また、請求項１、請求項７、及び請求項９に係る発明によれば、予め定められた期間内に特徴情報が特定接触特徴情報に相当すると判定された回数に基づいて、被接触面に対する特定接触を表す軌跡を特定する構成を有しない場合に比べ、正接触と誤接触とがより一層高精度に特定される、という効果が得られる。
【００２８】
請求項２に係る発明によれば、予め定められた期間内に特徴情報が特定接触特徴情報に相当すると判定された回数が、特徴情報が特定接触特徴情報に相当しないと判定された回数よりも多い場合に、予め定められた期間内の被接触面における軌跡を特定接触を表す軌跡として特定する構成を有しない場合に比べ、正接触と誤接触とがより一層高精度に特定される、という効果が得られる。
【００２９】
請求項３に係る発明によれば、予め定められた期間を、物体が被接触面に接触してから被接触面から離れるまでの期間とする構成を有しない場合に比べ、効率的な処理の実現に寄与する、という効果が得られる。
【００３０】
請求項４に係る発明によれば、特徴情報を、軌跡の大きさを表す大きさ情報、軌跡の大きさのばらつきの度合いを表す度合い情報、及び物体が被接触面に継続して接触している時間に基づいて導出された継続時間依拠情報の少なくとも１つとする構成を有しない場合に比べ、正接触と誤接触とがより一層高精度に判定される、という効果が得られる。
【００３１】
請求項５に係る発明によれば、大きさ情報を、軌跡の面積及び軌跡の長さの少なくとも１つを示す情報とし、度合い情報を、軌跡の面積の分散若しくは標準偏差を示す軌跡面積統計情報、及び軌跡の長さの分散若しくは標準偏差を示す軌跡長統計情報の少なくとも１つとし、継続時間依拠情報を、軌跡の個数を示す軌跡個数情報とする構成を有しない場合に比べ、正接触と誤接触とがより一層高精度に判定される、という効果が得られる。
【００３３】
請求項６に係る発明によれば、軌跡に対して接触時間に応じた重みを付与し、付与された重みが予め定められた重み以上であるか否かを判定する構成を有しない場合に比べ、正接触と誤接触とがより一層高精度に判定される、という効果が得られる。
【００３４】
請求項１２に係る発明によれば、特定された軌跡に対応する位置に表示された画像を画面から消去する構成を有しない場合に比べ、画面に表示された情報の可読性が向上する、という効果が得られる。
【図面の簡単な説明】
【００３５】
【図１】実施の形態に係る液晶ペンタブレットの外観を示す概略斜視図である。
【図２】実施の形態に係る記録表示装置の電気系の要部構成を示すブロック図である。
【図３】実施の形態に係る接触検出処理プログラムの処理の流れの一例を示すフローチャートである。
【図４】実施の形態に係る液晶ペンタブレットに描画される一単位の軌跡の規定方法を示す模式図である。
【図５】実施の形態に係る誤接触判定処理プログラムの処理の流れの一例を示すフローチャートである。
【図６】実施の形態に係る液晶ペンタブレットで用いられる決定木の構成要素としての軌跡の長さの分散及び接触面積の相関関係を示す図である。
【図７】実施の形態に係る液晶ペンタブレットで用いられる決定木の構成要素としての接触面積の分散及び軌跡の長さの分散の相関関係を示す図である。
【図８】実施の形態に係る液晶ペンタブレットで用いられる決定木の構成要素としての軌跡内の接触点の個数及び軌跡の長さの分散の相関関係を示す図である。
【図９】実施の形態に係る液晶ペンタブレットで用いられる決定木による判定方法の一例を示すコード図である。
【図１０】実施の形態に係る液晶ペンタブレットにおいて誤接触による軌跡を消去する処理の一例を示す模式図である。
【図１１】実施の形態に係る液晶ペンタブレットにおいて誤接触による軌跡を変色する処理の一例を示す模式図である。
【図１２】実施の形態に係る液晶ペンタブレットにおいて複数の軌跡に対して並行して接触検出処理を実施する場合の経時的な概念を示す概念図である。
【図１３】実施の形態に係る接触検出処理プログラムの処理の流れの変形例を示すフローチャートである。
【図１４】実施の形態に係る液晶ペンタブレットの誤接触判定処理で用いられるテーブルの一例を示す模式図である。
【発明を実施するための形態】
【００３６】
以下、図面を参照して、本発明を実施するための実施の形態の一例について詳細に説明する。
【００３７】
図１は、本実施の形態に係る液晶ペンタブレット１０の外観を示す概略斜視図である。図１に示すように、液晶ペンタブレット１０は、タッチパネル・ディスプレイ１２を有する記録表示装置１４、及びペン型の入力機器であるスタイラスペン１６を含んで構成されている。
【００３８】
図２は、本実施の形態に係る記録表示装置１４の電気系の要部構成を示すブロック図である。図２に示すように、記録表示装置１４は、タッチパネル・ディスプレイ１２、システムコントローラ１８、メモリ２０及び制御部２２を含んで構成されている。
【００３９】
タッチパネル・ディスプレイ１２は、タッチパネル１２Ａ及び液晶ディスプレイ（ＬＣＤ）１２Ｂを備えている。具体的には、ＬＣＤ１２Ｂ上に透過型のタッチパネル１２Ａが重ねられて構成されており、タッチパネル１２Ａはユーザによって触れられることによりユーザの指示を受け付け、ＬＣＤ１２Ｂは各種情報を表示面（画面）に表示する。
【００４０】
本実施の形態に係るタッチパネル１２Ａは、静電容量の変化を捉えて接触及び非接触を検出する静電容量方式のタッチパネルであり、ＬＣＤ１２Ｂの画素の各々の位置に対応するようにタッチパネル１２Ａの所定面（例えば表面又は裏面）に対して二次元状（一例としてマトリクス状）に対応付けられて配置された複数の検出素子の一例である複数の静電容量素子（一例としてコンデンサ）２４を有する。静電容量素子２４では、スタイラスペン１６、指、手などの物体が近付くと静電結合が起き、これによってタッチパネル１２Ａに対する物体の接触を検出する。なお、静電容量方式のタッチパネルは一例であり、電磁誘導方式のタッチパネル、赤外線方式のタッチパネル、表面弾性波方式のタッチパネル、抵抗膜方式のタッチパネルなどであっても良く、接触点が検出されるタッチパネルであれば如何なるものであっても良い。
【００４１】
システムコントローラ１８は、ＣＰＵ（Central Processing Unit：中央処理装置）を含んで構成されており、予め定められた制御プログラムを実行することにより記録表示装置１４全体の動作を制御する。メモリ２０は、ＲＡＭ（Read Only Memory）、ＲＯＭ（Read Only Memory）及び二次記憶部（例えばフラッシュメモリ）を含んで構成されている。ＲＡＭは、各種プログラムの実行時のワークエリア等として用いられる揮発性の記憶素子であり、ＲＯＭには、後述する誤接触特徴情報や各種プログラム、各種パラメータ、各種テーブル情報等が予め記憶されている。二次記憶部は、液晶ペンタブレット１０の電源スイッチが切られても保持しなければならない各種情報を記憶する不揮発性の記憶媒体である。
【００４２】
制御部２２は、ＣＰＵ（システムコントローラ１８に含まれるＣＰＵとは異なるＣＰＵ）を含んで構成されており、タッチパネル１２Ａ、ＬＣＤ１２Ｂ、システムコントローラ１８、及びメモリ２０に接続されている。従って、制御部２２は、システムコントローラ１８の指示下で、メモリ２０から読み出した各種プログラムや各種パラメータ、各種テーブル情報等に基づいて、タッチパネル１２Ａに対するユーザの指示内容の把握と、メモリ２０から読み出した情報（画像、文字、図柄、記号などを示す情報を含む）のＬＣＤ１２Ｂへの表示と、タッチパネル１２Ａに対するユーザの指示内容に応じた各種情報（画像、文字、図柄、記号などを示す情報を含む）のＬＣＤ１２Ｂへの表示と、を各々行う。
【００４３】
上記のように構成された液晶ペンタブレット１０では、タッチパネル１２Ａによって検出された接触によってタッチパネル１２Ａ上に軌跡（接触跡（ストローク））が描かれると、描かれた軌跡の構成要素である接触点を特定する座標情報（例えばタッチパネル１２Ａ上の予め定められた１点を原点とした場合の静電容量素子２４の位置を特定する二次元座標を示す情報）がメモリ２０の予め定められた記憶領域αに記憶され、記憶領域αに記憶された座標情報により特定される軌跡（タッチパネル１２Ａ上に描かれた軌跡に相当する軌跡）が制御部２２によってＬＣＤ１２Ｂの画面に表示される。
【００４４】
ところで、タッチパネル１２Ａによって検出される接触は、液晶ペンタブレット１０によって記録されるべき情報を入力するための接触（正接触）と液晶ペンタブレット１０によって記録されるべきでない情報を誤入力してしまう接触（誤接触）とに大別される。
【００４５】
しかし、従来は、正接触と誤接触とを高精度に区別する技術が存在していなかったため、誤接触であっても正接触として認識され、正接触であっても誤接触として認識される場合があった。そのため、ＬＣＤ１２Ｂの画面に意図しない情報が表示されたり、意図しない情報が非表示されたりすることがあった。
【００４６】
そこで、本実施の形態に係る液晶ペンタブレット１０では、タッチパネル１２Ａに対する物体の接触を検出すると共に誤接触を高精度に特定する接触検出処理を実行している。
【００４７】
本実施の形態に係る液晶ペンタブレット１０では、接触検出処理を実現するための各種処理がソフトウェア構成によって実現される。その一例としては、コンピュータを利用してプログラムを実行する形態が挙げられる。しかし、このようなソフトウェア構成による実現に限られるものではなく、ハードウェア構成や、ハードウェア構成とソフトウェア構成との組み合わせによって実現しても良いことは言うまでもない。
【００４８】
以下では、本実施の形態に係る液晶ペンタブレット１０の制御部２２が接触検出処理プログラムを実行することにより接触検出処理を実現する場合について説明する。この場合、接触検出処理プログラムをメモリ２０のＲＯＭ領域に予め記憶させておく形態や、記憶内容がコンピュータによって読み取られる記録媒体に記憶された状態で提供される形態、有線または無線による通信手段を介して配信される形態等を適用しても良い。
【００４９】
図３は、本実施の形態に係る接触検出処理プログラムの処理の流れの一例を示すフローチャートである。なお、以下の説明では、錯綜を回避するために、接触検出処理プログラムが制御部２２によって所定時間（ここでは一例として２０ｍｓ）毎に実行される場合を例に挙げて説明する。また、ここでは、錯綜を回避するために、タッチパネル１２Ａに対するスタイラスペン１６による接触を正接触とし、タッチパネル１２Ａに対するスタイラスペン１６による接触以外の接触（例えば指や手などによる接触）を誤接触とする場合について説明する。また、本明細書中で使用する「軌跡」との文言は、タッチパネル１２Ａに対して物体が接触したときの一連の接触点を意味しており、タッチパネル１２Ａに対しての継続した接触により得られる二次元座標上で連続した複数の座標点の集合という概念の他、タッチパネル１２Ａの１点に対して接触したときの１つの接触点という概念も含まれる。また、ここで言う「継続」との概念には、「時系列的に連続」との概念に加え、「同時」との概念も含まれる。従って、タッチパネル１２Ａにおける二次元座標上で連続した複数の点の集合に対して物体が同時に接触した場合にはそれらの点は一単位の軌跡の構成要素として取り込まれる。
【００５０】
図３のステップ１００では、タッチパネル１２Ａに対する物体の接触を検出したか否かを判定し、肯定判定となった場合にはステップ１０２に移行する。なお、ステップ１００の処理で検出された接触点は一単位の軌跡の構成要素とされる。例えば、本実施の形態では２０ｍｓ毎に本接触検出処理プログラムを実行するので、図４に示すように、タッチパネル・ディスプレイ１２に対して「Ｚ」との文字を表示するためにタッチパネル１２Ａに対してスタイラスペン１６によって「Ｚ」との文字を一筆書きした場合、スタイラスペン１６のペン先の接触は２０ｍｓ間隔で検出される。図４に示す例では、「Ｚ」との文字を描く間に５点の接触が検出される態様が模式的に示されているが、これらの点の各々が所定時間（２０ｍｓ）間隔で検出される。また、ステップ１００にて、複数の接触点が検出された場合はそれらの接触点は各々独立した一単位の軌跡の構成要素として取り扱われる。
【００５１】
ステップ１０２では、上記ステップ１００の処理で検出された接触点の位置を特定する座標情報を取得した後、ステップ１０４に移行する。ステップ１０４では、タッチパネル１２Ａに対する物体の非接触が検出された軌跡がないか否かを判定し、肯定判定となった場合にはステップ１０６に移行する。つまり、本ステップ１０４では、今回の接触検出処理プログラムが実行される前からタッチパネル１２Ａに対しての継続した接触がある場合に、その接触が解除されていないか（タッチパネル１２Ａから物体が離れることによって軌跡が途切れていないか）否かを判定しており、肯定判定となった場合（今回の接触検出処理プログラムが実行される前からタッチパネル１２Ａに対しての継続した接触がなかった場合も含む）はステップ１０６に移行する。
【００５２】
ステップ１０６では、今回の接触検出処理プログラムが実行されることにより新たな接触が検出されていないか否かを判定し、否定判定となった場合にはステップ１０８に移行する一方、肯定判定となった場合にはステップ１１０に移行する。ここで言う「新たな接触」が検出される状態（ステップ１０６が否定判定となる場合）とは、接触点の遷移速度が予め定められた遷移速度を超えた状態のことを意味し、例えば、初めてある接触点に物体が触れた場合は接触点の遷移速度が予め定められた遷移速度を超えた状態にあると言える。逆に、「新たな接触」が検出されない状態（ステップ１０６が肯定判定となる場合）とは、接触点の遷移速度が予め定められた遷移速度以下の状態のことを意味し、例えば、タッチパネル１２Ａに対する接触が継続している場合は予め定められた遷移速度以下の状態にあると言える。
【００５３】
ステップ１０８では、上記ステップ１００の処理で検出された接触によってタッチパネル１２Ａ上に描かれる軌跡に対して固有の識別情報の一例であるポインタＩＤを付与した後、ステップ１１０に移行する。この場合、例えば、上記ステップ１００の処理によって初めて検出された接触により特定される軌跡に対して１つのポインタＩＤが付与され、上記ステップ１００の処理によって初めて検出された接触により特定される軌跡が複数存在すれば軌跡毎に各々一意に定められたポインタＩＤが付与される。よって、タッチパネル１２Ａの複数の箇所に対して複数の物体が同時に接触した場合であっても個々の接触による各軌跡がポインタＩＤによって特定されることになる。
【００５４】
ステップ１１０では、軌跡毎に付与されたポインタＩＤに対応させて時系列順に上記ステップ１０２の処理で取得された座標情報をメモリ２０の記憶領域αに記憶する。例えば、座標情報とこの座標情報を取得した時刻を示す時刻情報とを対応させてポインタＩＤ単位で記憶領域αに記憶する。
【００５５】
次のステップ１１２では、現時点で記憶領域αに記憶されている座標情報をポインタＩＤ毎に取得し、取得したポインタＩＤ毎の座標情報から、軌跡の特徴を示す特徴情報をポインタＩＤ毎に導出し、導出した特徴情報をポインタＩＤ毎に時系列順に記憶領域αに記憶する。特徴情報としては、例えば、現時点の軌跡の大きさを表す大きさ情報、現時点の軌跡の大きさのばらつきの度合いを表す度合い情報、及び現時点の軌跡が描かれるための接触の継続時間に基づいて導出された継続時間依拠情報が挙げられる。例えば、大きさ情報としては、現時点でタッチパネル１２Ａに含まれる接触点を構成要素としている軌跡の面積及び軌跡の長さ（ここでは一例として二次元座標から導出される接触点の移動距離）が挙げられ、度合い情報としては、現時点でタッチパネル１２Ａに含まれる接触点を構成要素としている軌跡の面積の分散及び軌跡の長さの分散が挙げられ、継続時間依拠情報としては、現時点でタッチパネル１２Ａに含まれる接触点を構成要素としている軌跡（１ストローク）内の接触点の個数が挙げられる。本実施の形態では、一例として、大きさ情報として軌跡の面積を適用し、度合い情報として軌跡の面積の分散及び軌跡の長さの分散を適用し、継続時間依拠情報として軌跡内の接触点の個数を適用している。なお、ここで言う軌跡内の接触点の個数には、１点に対する接触であっても２０ｍｓ毎に１個としてカウントされる。また、軌跡の面積の分散及び軌跡の長さの分散については、スタイラスペン１６による接触（正接触）の方がスタイラスペン１６以外の物体（例えば指や手）による誤接触よりも大きい傾向にあることは発明者らによって既に検証済みである。これは正接触の移動量が誤接触の移動量よりも大きいことによるものと考えられる。
【００５６】
また、本実施の形態では、上記ステップ１１２にて、ポインタＩＤに対してそのポインタＩＤにより特定される軌跡内の接触点の個数に応じた重みを付与している。具体的には、軌跡内の接触点の個数が多くなるほど大きさ重みを付与している。これは、軌跡内の接触点の個数が多くなるほど特徴情報を導出するために用いられる座標情報の数が増え、判定の精度が高いという検証済みの事実を前提した処理である。なお、軌跡内の接触点の個数が更新される毎に重みも更新される。本実施の形態では、一例として図１４に示すテーブルを用いて重みを付与している。図１４に示すテーブルによれば、軌跡内の接触点の個数が１〜３９の場合に重みとして１．０が採用され、軌跡内の接触点の個数が４０〜７９の場合に重みとして１．２が採用され、軌跡内の接触点の個数が８０〜１１９の場合に重みとして１．４が採用され、軌跡内の接触点の個数が１２０以上の場合に重みとして１．６が採用される。重みを付与する方法は、テーブルを用いた方法に限定されるものではなく、この他にも例えば重みを解とする演算式を用いる方法を適用しても良い。
【００５７】
上記ステップ１１２の処理を実行した後、ステップ１１４に移行し、誤接触判定処理プログラムを実行する。図５には、誤接触判定処理プログラムの処理の流れの一例が示されている。同図に示されるように、ステップ１１４Ａでは、メモリ２０から、予め登録されている誤接触特徴情報を取得する。本実施の形態では、誤接触特徴情報として、タッチパネル１２Ａに対する物体の誤接触による軌跡の特徴を示すと共に予め登録された情報を適用しており、具体的には、一例として図６〜図８に示される第１〜第３誤接触領域情報が挙げられる。図６に示す例では、軌跡の長さの分散であって誤接触を表す分散の範囲と正接触を表す分散の範囲との境界を示す閾値（長さ分散閾値）と、軌跡の面積（接触面積）であって誤接触を表す面積の範囲と正接触を表す面積の範囲との境界を示す閾値（面積閾値）とで各々規定される誤接触領域を示す情報（第１誤接触領域情報）、正接触領域を示す情報（第１正接触領域情報）、及び誤接触か正接触かが判然とせずに更なる判定の余地が残されている領域を示す情報（第１未判定領域情報）が示されている。また、図７に示す例では、軌跡の面積の分散であって誤接触を表す分散の範囲と正接触を表す分散の範囲との境界を示す閾値（面積分散閾値）と長さ分散閾値とで各々規定される誤接触領域を示す情報（第２誤接触領域情報）、及び誤接触か正接触かが判然とせずに更なる判定の余地が残されている領域を示す情報（第２未判定領域情報）が示されている。更に、図８に示す例では、軌跡の個数であって誤接触を表す個数の範囲と正接触を表す個数の範囲との境界を示す閾値（個数閾値）と長さ分散閾値とで各々規定される誤接触領域を示す情報（第３誤接触領域情報）、及び正接触領域を示す情報（第２正接触領域情報）が示されている。
【００５８】
次のステップ１１４Ｂでは、現時点でのタッチパネル１２Ａに対する物体の接触点が構成要素とされている軌跡に付与されたポインタＩＤのうち、判定処理対象とされる軌跡のポインタＩＤ（注目ポインタＩＤ）を取得した後、ステップ１１４Ｃに移行する。ステップ１１４Ｃでは、上記ステップ１１４Ｂの処理で取得された注目ポインタＩＤに対応する軌跡における本処理が未実行の１接触点分の特徴情報を取得し、取得した特徴情報と上記ステップ１１４Ａの処理で取得された誤接触特徴情報とを比較する。また、ステップ１１４Ｃでは、特徴情報としての軌跡内の接触点の個数に対して付与されている重みと予め定められた重み（ここでは１．４）との比較も行う。
【００５９】
次のステップ１１４Ｄでは、上記ステップ１１４Ｃの処理で特徴情報としての軌跡内の接触点の個数に付与された重みと予め定められた重みとが比較された結果として、特徴情報としての軌跡内の接触点の個数に対して付与されている重みが予め定められた重み未満であるか否かを判定し、ここで否定判定となった場合にはステップ１１４Ｆに移行し、肯定判定となった場合には、上記ステップ１１４Ｃの処理で特徴情報と誤接触特徴情報とが比較された結果として、特徴情報が誤接触特徴情報に相当するか否かを判定し、ここで肯定判定となった場合にはステップ１１４Ｅに移行する一方、否定判定となった場合にはステップ１１４Ｆに移行する。なお、本実施の形態では、ステップ１１４Ｄの処理には、重みの比較結果を判定する処理が含まれているが、この処理は無くても良い。この場合、誤接触判定処理に係る総処理時間が短くなる。しかし、誤接触であることをより高精度に判定するためには本実施の形態のステップ１１４Ｄで例示するように重みの比較結果を判定する処理を含めた方が良いので、本処理では重みに係る判定を含む処理を行う例を挙げている。
【００６０】
ステップ１１４Ｄでは、誤接触特徴情報を含む決定木により特徴情報が誤接触特徴情報に相当するか否かを判定する。例えば、図６に示す軌跡の長さの分散と軌跡の面積との決定木、図７に示す軌跡の面積の分散と軌跡の長さの分散との決定木、及び図８に示す軌跡の個数と軌跡の長さの分散との決定木により特徴情報が誤接触特徴情報に相当するか否かを判定する。具体的には、上記ステップ１１４Ｃの処理で取得された特徴情報としての軌跡の長さの分散及び軌跡の面積が一例として図６に示す第１誤接触領域情報により示される領域に含まれるか否かを判定し、含まれる場合には特徴情報が誤接触情報に相当すると判定（ステップ１１４Ｄが肯定判定）し、誤接触情報に相当しないと判定された場合には特徴情報としての軌跡の長さの分散及び軌跡の面積が第１正接触領域情報により示される領域に含まれるか否かを判定し、含まれる場合には特徴情報が誤接触情報に相当しないと判定（ステップ１１４Ｄが否定判定）する。ここで、特徴情報が第１誤接触領域情報により示される領域及び第１正接触領域情報により示される領域の双方に含まれない場合には第１未判定領域情報により示される領域に含まれると判定し、上記ステップ１１４Ｃの処理で取得された特徴情報としての軌跡の面積の分散及び軌跡の長さの分散が一例として図７に示す第２誤接触領域情報により示される領域に含まれるか否かを判定し、含まれる場合には特徴情報が誤接触情報に相当すると判定（ステップ１１４Ｄが肯定判定）する。ここで、特徴情報が第２誤接触領域情報により示される領域に含まれない場合には第２未判定領域情報により示される領域に含まれると判定し、上記ステップ１１４Ｃの処理で取得された特徴情報としての軌跡の個数及び軌跡の長さの分散が一例として図８に示す第３誤接触領域情報により示される領域に含まれるか否かを判定し、含まれる場合には特徴情報が誤接触情報に相当すると判定（ステップ１１４Ｄが肯定判定）し、含まれない場合（第２正接触領域情報により示される領域に含まれる場合）には特徴情報が誤接触情報に相当しないと判定（ステップ１１４Ｄが否定判定）する。
【００６１】
図９には、本実施の形態に係る液晶ペンタブレット１０で採用している決定木によって一単位の軌跡について誤接触か否かを判定する手法の一例が示されている。なお、図９において、“size”とは、現時点でタッチパネル１２Ａに含まれる接触点を構成要素としている軌跡の面積を意味し、“points_stroke”とは、現時点でタッチパネル１２Ａに含まれる接触点を構成要素としている軌跡内の接触点の個数を意味し、“variance_length_trajectory”とは、現時点でタッチパネル１２Ａに含まれる接触点を構成要素としている軌跡の長さの分散を意味し、“variance_size”とは、現時点でタッチパネル１２Ａに含まれる接触点を構成要素としている軌跡の面積の分散を意味している。また、図９において、“pen”とは、スタイラスペン１６による接触（正接触）を意味しており、“hand”とは、スタイラスペン１６以外の例えば手や指による接触（誤接触）を意味している。
【００６２】
本実施の形態に係る液晶ペンタブレット１０では、一例として図９に示すように、決定木によって軌跡が誤接触によるものであるか否かの判定が行われると、最終的に、決定木の枝の末端にて、ｐｅｎ又はｈａｎｄの結果が得られることになる。図９に示す例では、先ず、軌跡の面積が面積閾値Ｓ１以下であるか否かを判定し、次から枝分かれ的に各閾値を用いて判定を行っている。具体的には、Ｓ１以下であると判定された場合、軌跡の長さの分散が長さ分散閾値Ｔ１以下であるか否かを判定する。長さ分散閾値Ｔ１以下であると判定された場合、軌跡内の接触点の個数が個数閾値Ｐ１以下であるか否かを判定する。ここで、個数閾値Ｐ１以下であれば正接触と判定する。
【００６３】
軌跡内の接触点の個数がＰ１以下でないと判定された場合、軌跡の長さの分散が長さ分散閾値Ｔ３以下であるか否かを判定する。ここで、長さ分散閾値Ｔ３以下であれば誤接触と判定する。
【００６４】
軌跡の長さの分散が長さ分散閾値Ｔ３以下でなければ軌跡内の接触点の個数が個数閾値Ｐ２以下であるか否かを判定する。ここで、個数閾値Ｐ２以下であれば正接触と判定する。軌跡内の接触点の個数が個数閾値Ｐ２以下でなければ誤接触と判定する。
【００６５】
一方、面積閾値Ｓ１以下であると判定された場合、軌跡の長さの分散が長さ分散閾値Ｔ１以下でなければ軌跡の面積の分散が面積分散閾値ＶＳ１以下であるか否かを判定する。ここで、面積分散閾値ＶＳ１以下であれば正接触と判定する。面積分散閾値ＶＳ１以下でなければ軌跡の長さの分散が長さ分散閾値Ｔ４以下であるか否かを判定する。ここで、長さ分散閾値Ｔ４以下であれば誤接触と判定し、Ｔ４以下でなければ正接触と判定する。
【００６６】
一方、軌跡の面積が面積閾値Ｓ１以下でないと判定された場合、軌跡の長さの分散が長さ分散閾値Ｔ２以下であるか否かを判定する。長さ分散閾値Ｔ２以下であると判定された場合、軌跡内の接触点の個数が個数閾値Ｐ３以下であるか否かを判定する。Ｐ３以下であれば次に軌跡の面積が面積閾値Ｓ２以下であるか否かを判定し、面積閾値Ｓ２以下であれば次に軌跡内の接触点の個数が個数閾値Ｐ４以下であるか否かを判定する。ここで、個数閾値Ｐ４以下であれば正接触と判定し、個数閾値Ｐ４以下でなければ誤接触と判定する。軌跡の面積が面積閾値Ｓ２以下でなければ誤接触と判定する。軌跡内の接触点の個数が個数閾値Ｐ３以下でなければ誤接触と判定する。
【００６７】
軌跡の長さの分散が長さ分散閾値Ｔ２以下でないと判定された場合、軌跡の面積が面積閾値Ｓ３以下であるか否かを判定する。面積閾値Ｓ３以下であれば正接触と判定し、面積閾値Ｓ３以下でなければ誤接触と判定する。
【００６８】
ステップ１１４Ｅでは、注目ポインタＩＤにより特定される軌跡における判定対象とされた接触点単位でフラグを設定した後、ステップ１１４Ｆに移行する。なお、本実施の形態では、接触点単位で時刻情報及び座標情報が取得されるので、ステップ１１４Ｅの処理としては、判定対象とされた接触点に対応する時刻情報及び座標情報に１対１で対応するようにフラグを設定する形態例が挙げられる。
【００６９】
ステップ１１４Ｆでは、上記ステップ１１４Ｂの処理で取得された注目ポインタＩＤにより特定される軌跡を構成している全接触点についての特徴情報と誤接触特徴情報とを比較したか否かを判定し、否定判定となった場合には上記ステップ１１４Ｃに戻る一方、肯定判定となった場合にはステップ１１４Ｇに移行する。
【００７０】
ステップ１１４Ｇでは、現時点で検出されている接触による軌跡に係るポインタＩＤが他に存在しているか否かを判定し、否定判定となった場合には上記ステップ１１４Ｂに戻る一方、肯定判定となった場合にはステップ１１４Ｈに移行する。ステップ１１４Ｈでは、注目ポインタＩＤを取得した後、ステップ１１４Ｉに移行し、現時点で設定されているフラグの個数が、フラグが設定されていない接触点の個数を上回っているか否か（判定対象とされた軌跡を構成している接触点の個数の過半数を超えているか否か）を判定し、肯定判定となった場合にはステップ１１４Ｊに移行し、フラグの個数が全接触点の個数の過半数を超えていると判定された軌跡を特定するポインタＩＤに対して、誤接触により描かれた軌跡であることを示す誤接触情報を付与した後、ステップ１１４Ｋに移行する。
【００７１】
一方、ステップ１１４Ｉにおいて否定判定となった場合にはステップ１１４Ｌに移行し、現時点で取得されている注目ポインタＩＤに誤接触情報が付与されているか否かを判定し、否定判定となった場合には本誤接触判定処理プログラムを終了する一方、肯定判定となった場合にはステップ１１４Ｍに移行し、注目ポインタＩＤから誤接触情報を消去した後、ステップ１１４Ｋに移行する。
【００７２】
ステップ１１４Ｋでは、現時点で検出されている接触による軌跡に係るポインタＩＤが他に存在しているか否かを判定し、否定判定となった場合には上記ステップ１１４Ｈに戻る一方、肯定判定となった場合には本誤接触判定処理プログラムを終了する。
【００７３】
一方、図３に示すステップ１００及びステップ１０４において否定判定となった場合にはステップ１１６に移行する。ステップ１１６では、現時点で記憶領域αに記憶されているポインタＩＤのうち、誤接触情報が付与されたポインタＩＤが存在しているか否かを判定することにより誤接触を表す軌跡を特定している。本ステップ１１６において否定判定となった場合には本接触検出処理プログラムを終了する一方、肯定判定となった場合にはステップ１１８に移行する。ステップ１１８では、誤接触情報が付与されたポインタＩＤを取得し、取得したポインタＩＤにより特定される軌跡の位置に対応するＬＣＤ１２Ｂの画面上の画像（例えば誤接触によってタッチパネル１２Ａに描かれた軌跡に相当する軌跡や、タッチパネル１２Ａに既に表示されている画面（例えばメニュー画面）に含まれるボタンを誤接触によって意図せず押してしまいボタンがＯＮされた状態を示す画像）に対して所定処理を実施した後、本接触検出処理プログラムを終了する。なお、所定処理としては、例えば、図１０に示すように、誤接触によってＬＣＤ１２Ｂの画面に表示された画像を消去する処理や、図１１に示すように誤接触によってＬＣＤ１２Ｂの画面に表示された画像の色を特定の色（誤接触によって表示された画像であることを示す色として予め定められた色）に変色させる処理が挙げられる。また、誤接触によってＬＣＤ１２Ｂの画面に表示された画像がタッチパネル１２Ａに描かれた軌跡に相当する軌跡であれば、その軌跡の太さや線種を変える処理が挙げられる。
【００７４】
このように本実施の形態に係る液晶ペンタブレット１０では、制御部２２によって上記接触検出処理プログラムが実行されることで、タッチパネルに対する接触により描かれる軌跡が誤接触によるものであるか否かが容易かつ高精度に判定される。また、座標情報がポインタＩＤによって管理されているので、記憶領域αから誤接触によって描かれた軌跡に係る情報を消去して、正接触によって描かれた軌跡に係る情報（例えばポインタＩＤ及び座標情報）のみを記憶領域αに残すことにより、制御部２２は正接触によって描かれた軌跡に係る情報に基づいてＬＣＤ１２Ｂに軌跡を表示することになるので、誤接触による余計な軌跡（画像）が表示されずに可読性が良くなる上、ユーザはＬＣＤ１２Ｂに表示された画像が誤接触によるものなのか正接触によるものなのかを気にする必要がなくなる。
【００７５】
また、本実施の形態に係る液晶ペンタブレット１０によれば、軌跡が複数存在する場合であってもそれらの軌跡の各々が誤接触によるものであるか否かが容易かつ高精度に判定される。例えば、図１２に示すように、ポインタＩＤ１が付与された軌跡とポインタＩＤ２が付与された軌跡が存在する場合、各々の軌跡について独立（並行）して所定時間毎に誤接触であるか否かの判定が行われ、軌跡に対する接触が無くなった場合にポインタＩＤ１，２毎に独立して誤接触による軌跡が特定される。
【００７６】
なお、上記実施の形態では、非接触が検出された場合（タッチパネル１２Ａに対する接触が解除された場合）に軌跡が誤接触によるものであるか否かの最終的な判定を下す場合の形態例を挙げて説明したが、これに限らず、接触検出処理プログラムの１回の実行時間である所定時間（２０ｍｓ）毎に軌跡が誤接触によるものであるか否かの最終的な判定を下しても良い。この場合、一例として図１３に示すように誤接触判定処理を実行する毎に上記ステップ１１６，１１８の処理を実行すれば良い。この場合、上記実施の形態で説明した例に比べ、誤接触であるか否かの結論が迅速に得られる。よって、例えば誤入力が許されない重要なサイン（署名）を液晶ペンタブレット１０により行う場合には即座に誤接触であることが判定されるので特に効果的である。なお、図１３に示すフローチャートは、図３に示すフローチャートに比べ、ステップ１０４を除去した点、ステップ１１６，１１８をステップ１１４の後段に移設した点、及びステップ１００の否定判定により接触検出処理プログラムが終了する点が異なっている。
また、図３に示すフローチャートの処理（接触検出処理）を適用するか、或いは図１３に示すフローチャートの処理を適用するかを利用者に指定させるようにしても良い。これにより利便性が向上する。
【００７７】
また、上記実施の形態では、所定時間として２０ｍｓを例に挙げたが、これに限らず、他の時間であっても良く、この所定時間を利用者に指定させても良い。但し、所定時間として５ｍｓが適用された場合、２０ｍｓの場合に比べ、所定時間（５ｍｓ）毎に上記接触検出処理プログラムを実行することが困難なため、非接触が検出されたときに、それまでに溜まったデータに基づいて軌跡が誤接触によるものであるか否かの最終的な判定を下すと良い。このように５ｍｓ毎に接触検出処理プログラムを実行する場合には次のルーチン（例えば、次の接触検出処理）が間に合わなくならないように次のルーチンで用いるデータ（例えば座標情報や特徴情報など）を先行のルーチンを実行している段階で溜めておく（準備しておく）ことが好ましい。
【００７８】
また、上記実施の形態では、大きさ情報として軌跡の面積を適用し、度合い情報として軌跡の面積の分散及び軌跡の長さの分散を適用し、継続時間依拠情報として軌跡内の接触点の個数を適用した場合の形態例を挙げて説明したが、軌跡の面積に代えて軌跡の長さを適用し、軌跡の面積の分散に代えて軌跡の面積の標準偏差を適用し、軌跡の長さの分散に代えて軌跡の長さの標準偏差を適用し、軌跡内の接触点の個数に代えて接触の継続時間を適用しても良い。また、軌跡の面積及び長さについては、面積及び長さの最大値、最小値又は平均値を適用しても良い。
【００７９】
また、上記実施の形態では、決定木を用いて誤接触であるか否かを判定する場合の形態例を挙げて説明したが、決定木に代えて、テンプレートマッチング法、ｋ−最近傍識別法、ニューラルネットワーク、サポートベクターマシン、隠れマルコフモデル又はブースティングなどを用いて判定を行うようにしても良い。但し、これらの場合も学習用に収集した特徴情報及び判定結果をフィードバックして再度学習用のデータとして用いることになる。
【００８０】
また、上記実施の形態では、誤接触によってＬＣＤ１２Ｂの画面に表示された画像に対して所定処理（消去や変色）を強制的に施す場合の形態例を挙げて説明したが、誤接触により表示された画像に対して所定処理を施すか否かの指示をユーザが事前に液晶ペンタブレット１０に対して与えておき、所定処理を施さない指示が事前に与えられていた場合には誤接触により表示された画像に対して所定処理を施さず、所定処理を施す指示が事前に与えられていた場合には誤接触により表示された画像に対して所定処理を施すようにしても良い。なお、これらの指示は、タッチパネル・ディスプレイ１２を介して与えても良いし、液晶ペンタブレット１０に対して別途指示用のスイッチを設け、このスイッチをオン・オフすることによって与えるようにしても良い。また、有線若しくは無線通信を用いた遠隔操作により液晶ペンタブレット１０に対して指示を与えるようにしても良い。
【００８１】
また、上記実施の形態では、スタイラスペン１６による接触を正接触として取り扱う場合の形態例を挙げて説明したが、これは説明の便宜上使用した一例であり、あくまでもタッチパネル１２Ａに対する接触から得られた特徴情報が予め登録されているデータ（例えば誤接触特徴情報）に相当しているか否かを判定することにより誤接触であるか否かを判定しているので、判定結果がタッチパネル１２Ａに接触する物体（指示体）の種類に依存しているわけではないことは言うまでもない。
【００８２】
また、上記実施の形態では、ポインタＩＤにより特定される軌跡毎に誤接触による軌跡であるか否かを判定する場合の形態例を挙げて説明したが、予め定められた期間内に上述した多数決によって誤接触による軌跡であると判定された場合に、その期間内にタッチパネル１２Ａに描かれた軌跡を全て誤接触によるものであると判定するようにしても良い。
【００８３】
また、上記実施の形態では、特徴情報が第１〜第３誤接触領域に含まれるか否かを判定することにより誤接触による軌跡であるか否かを判定するようにしたが、これに限らず、特徴情報が誤接触による軌跡の特徴を示す誤接触特徴情報として予め登録された情報に相当するか否かを判定することにより誤接触による軌跡であるか否かを判定しても良い。また、誤接触特徴情報は複数登録されていても良く、この場合、特徴情報が何れかの誤接触特徴情報に相当すれば誤接触による軌跡であると判定する形態例が挙げられる。
【００８４】
また、上記実施の形態では、多数決によって誤接触による軌跡であるか否かを判定する場合の形態例を挙げて説明したが、これに限らず、誤接触であると判定された接触点の個数として予め定められた個数以上であるか否かを判定することにより誤接触による軌跡であるか否かを判定しても良い。
【００８５】
また、上記実施の形態では、タッチパネル１２Ａに対する誤接触を直接的に判定し、この判定結果に基づいて正接触と誤接触とを区別する場合の形態例を挙げて説明したが、これとは逆にタッチパネル１２Ａに対する正接触を直接的に判定し、この判定結果に基づいて正接触と誤接触とを区別しても良い。この場合、例えば、特徴情報が図８に示す第２正接触領域情報により示される領域に含まれるか否かを判定し、含まれると判定された場合にフラグを設定し、フラグの個数が全接触点の個数の過半数を超えているか否かを判定し、超えていると判定された場合にフラグの個数が全接触点の個数の過半数を超えていると判定された軌跡を特定するポインタＩＤに対して、正接触により描かれた軌跡であることを示す正接触情報を付与することにより、正接触による軌跡が特定され、これ以外の軌跡が誤接触による軌跡と特定される。なお、この場合もフラグの個数が全接触点の個数の過半数を超えているかを判定せずに所定時間（例えば２０ｍｓ）毎に正接触であるか否かの最終的な結論を出すようにしても良いことは言うまでも無い。このように、特徴情報が、タッチパネル１２Ａに特定接触（タッチパネル１２Ａに対する正しい接触として予め定められた正接触又はタッチパネル１２Ａに対する誤った接触として予め定められた誤接触）を行うことによって描かれる軌跡の特徴を示すと共に予め登録された特定接触特徴情報（正接触特徴情報又は誤接触特徴情報）に相当するか否かを判定することにより正接触と誤接触とが高精度に判定される。
【符号の説明】
【００８６】
１０  液晶ペンタブレット
１２  タッチパネル・ディスプレイ
１２Ａ  タッチパネル
１２Ｂ  ＬＣＤ
１４  記録表示装置
２２  制御部
【図１】
0006028320.tif 000002
【図２】
0006028320.tif 000003
【図３】
0006028320.tif 000004
【図４】
0006028320.tif 000005
【図５】
0006028320.tif 000006
【図９】
0006028320.tif 000007
【図１０】
0006028320.tif 000008
【図１１】
0006028320.tif 000009
【図１２】
0006028320.tif 000010
【図１３】
0006028320.tif 000011
【図１４】
0006028320.tif 000012
【図６】
0006028320.tif 000013
【図７】
0006028320.tif 000014
【図８】
0006028320.tif 000015